(57)【要約】      （修正有）【課題】奥側に配置された書籍であっても、容易に確認することが出来る収納ケースを提供する。【解決手段】収納ケースは、上面が第１の載置面２０を形成した第１板２と、第１板よりも奥側且つ高い位置に設けられて、上面が第２の載置面３０を形成した第２板３と、第１板と第２板の側部に位置する一対の側板４を備えている。また、各側板には、第１板又は第２板の各載置面上に立てて収納される書籍の側面の少なくとも一部を露出させる切欠き４０が設けられている。【選択図】図１
0003196935.tif 000002
【実用新案登録請求の範囲】
【請求項１】
上面が第１の載置面を形成した第１板と、
該第１板よりも奥側且つ高い位置に設けられて、上面が第２の載置面を形成した第２板と、
前記第１板と第２板の側部に位置する一対の側板を備えた、収納ケース。
【請求項２】
前記第１板には、引き出し用の把持部が設けられた、請求項１に記載の収納ケース。
【請求項３】
前記側板には、第１板又は第２板の各載置面上に立てて収納される被収納物の側面の少なくとも一部を露出させる切欠きが設けられた、請求項１又は２に記載の収納ケース。
【請求項４】
前記切欠きは、被収納物がＡ６サイズ又はＢ６サイズの書籍である場合に、該書籍の側面を露出させる大きさに形成された、請求項３に記載の収納ケース。
【請求項５】
更に、第１板の後端部と第２板の前端部を接続する第１背板と、第２板の後端部から立設した第２背板とを備えた、請求項１乃至４の何れかに記載の収納ケース。
【考案の詳細な説明】
【技術分野】
【０００１】
本考案は、書籍等の被収納物を立てて収納することができる収納ケースに関する。
【背景技術】
【０００２】
一般的な書籍には、大きなものではＡ４サイズから、小さなものではＡ６サイズ又はＢ６サイズのものがある。通常書棚は棚板の上下間隔及び奥行きをＡ４サイズの書籍に合わせて作られており、Ａ６サイズ又はＢ６サイズの書籍はＡ４サイズの書籍に比して奥行きサイズが半分程度である。従って、書棚にＡ６サイズの複数の書籍を並べ、書棚の横方向に収納空間が無くなる場合は、既に収納されたＡ６サイズ又はＢ６サイズの書籍の手前に、更に別のＡ６サイズ又はＢ６サイズの書籍を並べることが多い。これでは、奥側のＡ６サイズ又はＢ６サイズの書籍を取り出しにくい問題がある。
【０００３】
この点に鑑みて、特許文献１に示すように、書棚に配置される引き出し状の収納ケースが提案されている。これは、Ａ６サイズの書籍が収納される前方収納部と該前方収納部よりも奥側に位置する後方収納部との底板どうしをヒンジ接続して構成されている。該収納ケースを書棚から引き出すと、前方収納部がヒンジ接続部分を中心に下向きに回転し、後方収納部内の書籍を取り出すことが容易になる。
【先行技術文献】
【特許文献】
【０００４】
【特許文献１】特開２００４-１８７９０３号公報
【考案の概要】
【考案が解決しようとする課題】
【０００５】
特許文献１に記載の収納ケースでは、書棚から引き出されない状態では、後方収納部内の書籍は前方収納部の書籍に隠れて確認することが出来ない。従って、書棚から引き出されない状態にて、後方収納部内の書籍を容易に確認することができないデメリットがある。
本考案の目的は、奥側に配置された書籍であっても、容易に確認することが出来る収納ケースを提供することにある。
【課題を解決するための手段】
【０００６】
収納ケースは、上面が第１の載置面を形成した第１板と、該第１板よりも奥側且つ高い位置に設けられて、上面が第２の載置面を形成した第２板と、前記第１板と第２板の側部に位置する一対の側板を備えている。
また、前記側板には、第１板又は第２板の各載置面上に立てて収納される被収納物の側面の少なくとも一部を露出させる切欠きが設けられている。
【考案の効果】
【０００７】
１．被収納物が書籍である場合は、該書籍は第１の載置面上と第２の載置面上に立てて収納される。第２の載置面は第１の載置面よりも高い位置にあるから、第１の載置面上に書籍が収納されていても、第２の載置面上の書籍を確認することが出来る。従って、収納ケースの奥側に配置された書籍であっても、容易に確認することが出来る。
２．切欠きによって第１の載置面又は第２の載置面上に立てて収納された書籍の側面が露出するから、側方からでも第１の載置面又は第２の載置面上の書籍を確認することが出来る。
【図面の簡単な説明】
【０００８】
【図１】本実施形態に係る収納ケースの斜視図である。
【図２】両載置面上に、複数の書籍が載置され収納された状態の斜視図である。
【図３】書棚内に収納ケースが配置された状態を示す斜視図である。
【図４】書棚から収納ケースが引き出された状態を示す斜視図である。
【考案を実施するための形態】
【０００９】
以下、本発明の一実施形態について、図面を用いて説明する。
図１は、本実施形態に係る収納ケース１の斜視図であり、被収納物としてＡ６サイズ又はＢ６サイズの書籍を例示する。該収納ケース１は、Ａ６サイズ又はＢ６サイズの書籍が収納される際に通過する開口１０を開設しており、該開口１０が設けられている方を前方、逆方向を後方とする。
収納ケース１は、上面が第１の載置面２０を形成した第１板２と、該第１板２よりも奥側、即ち後側であって第１板２よりも高い位置に設けられて、上面が第２の載置面３０を形成した第２板３と、第１板２の後端部と第２板３の前端部を接続する第１背板５と、第２板３の後端部から立設した第２背板５０と、第１板２と第２板３の両側部に位置する一対の側板４とを備えている。第１板２と第２板３の上方は解放されている。
【００１０】
第１及び第２の載置面２０、３０は平面であって、両載置面２０、３０に、縦向き姿勢のＡ６サイズの書籍６が複数載置される。第１板２の前端部には、引き出し用の把持部７が設けられ、使用者が収納ケース１を手前に引き出す際には、指で把持部７を摘めば、収納ケース１を引き出し易い。収納ケース１は、厚紙を折曲して構成され、把持部７は指の触感に鑑みて布から構成されるが、他の材料から構成されてもよい。例えば、収納ケース１は木製又は合成樹脂の成形品であってもよい。
【００１１】
図２は、両載置面２０、３０上に、縦向き姿勢のＡ６サイズの複数の書籍６が載置され収納された状態の斜視図である。第１の載置面２０上には開口１０を通って書籍６が収納され、第２の載置面３０上には開口１０を通って又は上方から書籍６が収納される。
各側板４の上部には、後端部から前端部に向かって下向きに延びた切欠き４０が形成され、該切欠き４０を形成していることによって、両載置面２０、３０に載置されて収納された書籍６の表紙が露出する。また、前記の如く、第２板３は第１板２よりも高い位置にあるから、両載置面２０、３０に書籍６が載置され収納された状態では、第１の載置面２０上に書籍６が載置されていても、第２の載置面３０上の書籍６の背表紙６０の一部が前方から見える。従って、収納ケース１の奥側に配置された書籍６であっても、収納ケース１を引き出すことなく、容易に確認することが出来る。図２にあっては、第１の載置面２０上に４冊、第２の載置面３０上に４冊の書籍６が載置されているが、これは図示の便宜上であって、両載置面２０、３０上に載置可能な書籍６はこの冊数に限定されない。
【００１２】
従来と同様に、この種の収納ケース１は書棚に配置される場合がある。図３は、書棚８内に収納ケース１が配置された状態を示す斜視図である。各収納ケース１には書籍６が満載されている。この状態にあっても、第２の載置面３０上の書籍６の背表紙６０(図２参照)が前方から見えるから、第２の載置面３０上の書籍６を収納ケース１を引き出すことなく、容易に確認することが出来る。また、第１の載置面２０上、つまり手前側の書籍６は、図３に示す状態からこのまま取り出すことが出来る。
書籍６が満載された収納ケース１であっても、使用者が把持部７を摘んで収納ケース１を引き出せば、容易に収納ケース１を書棚８から引き出すことが出来る。図４は、書棚８から収納ケース１が引き出された状態を示す斜視図である。この状態にて、第２の載置面３０上、つまり奥側の書籍６を取り出すことが出来る。
【００１３】
収納ケース１は厚紙、木製又は合成樹脂製であるから軽量であり、喩え書籍６が満載された状態であっても、収納ケース１を容易に運搬することが出来る。従って、ソファー(図示せず)に腰掛又は横たわった状態で、複数の書籍６を読みたい場合には、複数の書籍６が収納された収納ケース１をソファーに持ち運べばよい。
この書籍６が収納された収納ケース１の運搬時に、該収納ケース１を傾けることがある。しかし、この場合でも、側板４及び第２背板５０によって、収納ケース１内の書籍６が落下することは防止される。また、第１背板５によって、第１板２上の書籍６が第２板３に向かって移動することが阻止される。
【００１４】
本実施形態に係る収納ケース１は、以下の効果を有する。
１．書籍６は第１の載置面２０上と第２の載置面３０上に立てて収納される。第２の載置面３０は第１の載置面２０よりも高い位置にあるから、第１の載置面２０上に書籍６が収納されていても、第２の載置面３０上の書籍を確認することが出来る。従って、収納ケース１の奥側に配置された書籍６であっても、容易に確認することが出来る。
２．切欠き４０によって第１の載置面２０又は第２の載置面３０上に立てて収納された書籍６の側面が露出するから、側方からでも第１の載置面２０又は第２の載置面３０上の書籍６を確認することが出来る。
【００１５】
上記の実施形態では、被収納物として書籍６を例示したが、書籍６以外であってもよい。また、書棚８には本箱だけでなく、例えばホームセンター等で市販されている所謂３段ボックスも含まれる。
また、上記の実施形態では、複数の書籍６が２段に収納される収納ケース１を例示したが、必ずしも２段に限定されず、収納ケース１は複数の書籍６が３段以上に収納されるものであってもよい。
【産業上の利用可能性】
【００１６】
本考案は、書籍等の被収納物を立てて収納することができる収納ケースに適用すると有利である。
【符号の説明】
【００１７】
１    収納ケース
２    第１板
３    第２板
４    側板
７    把持部
２０  第１の載置面
３０  第２の載置面
【図１】
0003196935.tif 000003
【図２】
0003196935.tif 000004
【図３】
0003196935.tif 000005
【図４】
0003196935.tif 000006